(57)【要約】      （修正有）【課題】購入した商品を店舗から渡されたレジ袋と称する商品詰入袋に入れたままの状態で袋掛止部に掛けておくことができ、商品詰入袋内の商品がばらけてしまったり、商品がばらけることにより容器体内の収納スペースを狭めたり、商品が散在し互いに衝突しあって損傷を生じたりすることを防ぐことができるクーラーボックスを提供する。【解決手段】上開口部を備えた断熱構造の容器体１と、該容器体の上開口部を開閉可能な断熱構造の蓋体３と、該蓋体を容器体に開閉自在に被嵌させる開閉機構７と、容器体を持上可能な持手体５とからなり、容器体の内面に商品詰入袋Ｗを掛止可能な袋掛止部を設けてなる。【選択図】図１
0003167725.tif 000002
【実用新案登録請求の範囲】
【請求項１】
上開口部を備えた断熱構造の容器体と、該容器体の上開口部を開閉可能な断熱構造の蓋体と、該蓋体を該容器体に開閉自在に被嵌させる開閉機構と、該容器体を持上可能な持手体とからなり、上記容器体の内面に商品詰入袋を掛止可能な袋掛止部を設けてなることを特徴とするクーラーボックス。
【請求項２】
上記容器体はそれぞれ合成樹脂からなる外容器体、内容器体及び断熱材からなり、該内容器体に上記袋掛止部を合成樹脂成形により一体形成してなることを特徴とする請求項１記載のクーラーボックス。
【考案の詳細な説明】
【技術分野】
【０００１】
本考案は、例えば、スーパーマーケット、コンビニエンスストアーで購入した食料品や日用品等の商品を自宅に持ち帰る際やハイキング用、レジャー用等に用いられるクーラーボックスに関するものである。
【背景技術】
【０００２】
従来、この種のクーラーボックスとして、例えば、上開口部を備えた断熱構造の容器体と、容器体の上開口部を開閉可能な断熱構造の蓋体と、蓋体を該容器体に開閉自在に被嵌させる開閉機構と、容器体を持上可能な持手体とからなる構造のものが知られている。
【先行技術文献】
【特許文献】
【０００３】
【特許文献１】特許第４５６５４０６号公報
【特許文献２】特許第２８８０１０７号公報
【考案の概要】
【考案が解決しようとする課題】
【０００４】
しかしながら、商品購入後、帰宅を急ぐ余り、購入した商品を店舗から渡されたレジ袋と称する商品詰入袋に入れたままの状態で容器体内に収納したとすると、商品詰入袋内の商品が袋吊下時における袋の拘束から解放されてばらけてしまい、容器体内の収納スペースを狭めたり、商品が散在し互いに衝突しあって、購入した商品の損傷を生ずることがあるという不都合を有している。
【課題を解決するための手段】
【０００５】
本考案はこれらの不都合を解決することを目的とするもので、本考案のうちで、請求項１記載の考案は、上開口部を備えた断熱構造の容器体と、該容器体の上開口部を開閉可能な断熱構造の蓋体と、該蓋体を該容器体に開閉自在に被嵌させる開閉機構と、該容器体を持上可能な持手体とからなり、上記容器体の内面に商品詰入袋を掛止可能な袋掛止部を設けてなることを特徴とするクーラーボックスにある。
【０００６】
又、請求項２記載の考案は、上記容器体はそれぞれ合成樹脂からなる外容器体、内容器体及び断熱材からなり、該内容器体に上記袋掛止部を合成樹脂成形により一体形成してなることを特徴とするものである。
【考案の効果】
【０００７】
本考案は上述の如く、請求項１記載の考案にあっては、上開口部を備えた断熱構造の容器体と、容器体の上開口部を開閉可能な断熱構造の蓋体と、蓋体を容器体に開閉自在に被嵌させる開閉機構と、容器体を持上可能な持手体とからなり、上記容器体の内面に商品詰入袋を掛止可能な袋掛止部を設けてなるから、購入した商品を店舗から渡されたレジ袋と称する商品詰入袋に入れたままの状態で袋掛止部に掛けておくことができ、商品詰入袋内の商品がばらけてしまったり、商品がばらけることにより容器体内の収納スペースを狭めたり、商品が散在し互いに衝突しあって購入した商品の損傷を生じたりすることを防ぐことができ、商品詰入袋に入れたままの状態で容器体に収納することができ、容器体及び蓋体の断熱構造により商品の鮮度を維持することができ、使用の利便性を高めることができる。
【０００８】
又、請求項２記載の考案にあっては、上記容器体はそれぞれ合成樹脂からなる外容器体、内容器体及び断熱材からなり、内容器体に上記袋掛止部を合成樹脂成形により一体形成してなるから、袋掛止部を容易に製作することができる。
【図面の簡単な説明】
【０００９】
【図１】本考案の実施の形態例の全体斜視図である。
【図２】本考案の実施の形態例の開蓋状態の全体斜視図である。
【図３】本考案の実施の形態例の全体断面図である。
【図４】本考案の実施の形態例の平面図である。
【図５】本考案の実施の形態例の部分分解斜視図である。
【図６】本考案の実施の形態例の部分斜視図である。
【考案を実施するための形態】
【００１０】
図１乃至図６は本考案の実施の形態例を示し、１は容器体であって、この場合、図１の如く、合成樹脂製の外容器体１ａ及び合成樹脂製の内容器体１ｂを発泡品からなる断熱材Ｄを内蔵して組み立てられ、上部に上開口部２を備えた断熱構造に形成されている。
【００１１】
３は蓋体であって、この場合、図３の如く、合成樹脂製の外蓋体３ａ及び合成樹脂製の内蓋体３ｂを発泡品からなる断熱材Ｄを内蔵して組み立てられ、内蓋体３ｂにパッキン材４を配置し、容器体１の上開口部２を開閉可能な大きさにして断熱構造に形成され、蓋体３の外蓋体３ａの上面中央部に平面コ状の持手体５を起倒機構６により起立倒伏自在に設けて構成している。
【００１２】
この場合、上記起倒機構６として、図１、図５の如く、上記外蓋体３ａの中央部上面に持手体５を埋入可能な平面コ状の埋入凹部３ｃを形成し、平面コ状の埋入凹部３ｃを形成する蓋体３の外蓋体３ａの突出部分Ｋの両側壁部に一対の軸受板３ｄ・３ｄを突出形成し、軸受板３ｄ・３ｄに軸受穴３ｅ・３ｅを形成し、持手体５に一対の軸部５ａ・５ａを突出形成し、軸受穴３ｅ・３ｅと軸部５ａ・５ａとの嵌合により持手体５を起倒自在に構成している。
【００１３】
この場合、図２、図６の如く、上記蓋体３を容器体１に開閉自在に被嵌させる開閉機構７として、容器体１及び蓋体３のそれぞれの一方辺縁部間をヒンジ部８ａ・８ａからなるヒンジ機構８・８によりヒンジ結合すると共に容器体１及び蓋体３のそれぞれの他方辺縁部間に相互に嵌脱自在なバックル９ａ・９ａ及び係止部９ｂ・９ｂからなる尾錠機構９を配設し、バックル９ａ・９ａは容器体１に枢着され、係止部９ｂ・９ｂは容器体１に形成され、尾錠機構９・９のバックル９ａ・９ａを係止部９ｂ・９ｂから離脱させることによりヒンジ部８ａ・８ａにより蓋体３は上向き開口動作可能となり、又、ヒンジ部８ａ・８ａにより蓋体３を閉口動作して尾錠機構９・９のバックル９ａ・９ａを係止部９ｂ・９ｂに嵌合係止させることにより蓋体３により容器体１を閉止するように構成している。
【００１４】
１０は袋掛止部であって、図６の如く、上記容器体１の内面に商品詰入袋Ｗの持手部分を掛止可能に形成され、この場合、容器体１を構成する内容器体１ｂに上記袋掛止部１０を合成樹脂成形により一体形成している。
【００１５】
この実施の形態例は上記構成であるから、上開口部２を備えた断熱構造の容器体１と、容器体１の上開口部２を開閉可能な断熱構造の蓋体３と、蓋体３を容器体１に開閉自在に被嵌させる開閉機構７と、容器体１を持上可能な持手体５とからなり、上記容器体１の内面に商品詰入袋Ｗを掛止可能な袋掛止部１０を設けてなるから、図６の如く、購入した商品を店舗から渡されたレジ袋と称する商品詰入袋Ｗに入れたままの状態で袋掛止部１０に掛けておくことができ、商品詰入袋Ｗ内の商品がばらけてしまったり、商品がばらけることにより容器体１内の収納スペースを狭めたり、商品が散在し互いに衝突しあって購入した商品の損傷を生じたりすることを防ぐことができ、商品詰入袋Ｗに入れたままの状態で容器体１に収納することができ、容器体１及び蓋体３の断熱構造により商品の鮮度を維持することができ、使用の利便性を高めることができる。
【００１６】
この場合、上記容器体１はそれぞれ合成樹脂からなる外容器体１ａ、内容器体１ｂ及び断熱材Ｄからなり、内容器体１ｂに上記袋掛止部１０を合成樹脂成形により一体形成してなるから、袋掛止部１０を容易に製作することができる。
【００１７】
尚、本考案は上記実施の形態例のものに限られず、例えば、容器体１、蓋体３、持手体５、袋掛止部１０の形態や数、配置位置、構造は適宜変更して設計されるものである。
【００１８】
以上の如く、所期の目的を充分達成することができる。
【符号の説明】
【００１９】
Ｄ    断熱材
Ｗ    商品詰入袋
１    容器体
１ａ    外容器体
１ｂ    内容器体
２    上開口部
３    蓋体
５    持手体
７    開閉機構
１０    袋掛止部
【図１】
0003167725.tif 000003
【図２】
0003167725.tif 000004
【図３】
0003167725.tif 000005
【図４】
0003167725.tif 000006
【図５】
0003167725.tif 000007
【図６】
0003167725.tif 000008